(57)【要約】【課題】本発明は、棚板の高さ位置変更に応じて仕切り板の高さ位置を安価に調整自在となる棚及び棚用部材を提供すること。【解決手段】上下方向に延び、上下方向に複数の第１孔Ｈ１が形成された一対の縦杆２と、収納対象物を載置する載置面１２において上下方向に直交する長手の幅方向に沿って形成された複数の第２孔Ｈ２を備え、一対の縦杆の間に高さが自在に固定された棚板１０と、第１孔に嵌め込まれるように幅方向における両端部に形成された一対の第１係合部と、幅方向に沿って形成された複数の第３孔Ｈ３とを備え、棚板より上方において一対の縦杆の間に架設されたバー２０と、第２孔に嵌め込まれる第２係合部と第３孔に嵌め込まれる第３係合部とが設けられ、棚板の載置面に固定された複数の仕切板３０と、を備える、棚１。【選択図】図１
2020137950.tif 000002
【特許請求の範囲】
【請求項１】
上下方向に延び、前記上下方向に複数の第１孔が形成された一対の縦杆と、
収納対象物を載置する載置面において前記上下方向に直交する長手の幅方向に沿って形成された複数の第２孔を備え、前記一対の縦杆の間に高さが自在に固定された棚板と、
前記第１孔に嵌め込まれるように前記幅方向における両端部に形成された一対の第１係合部と、前記幅方向に沿って形成された複数の第３孔とを備え、前記棚板より上方において前記一対の縦杆の間に架設されたバーと、
前記第２孔に嵌め込まれる第２係合部と前記第３孔に嵌め込まれる第３係合部とが設けられ、前記棚板の前記載置面に固定された複数の仕切板と、を備えることを特徴とする棚。
【請求項２】
前記バーは、前記幅方向に延びる横杆と、
前記横杆の長手方向の両端部に取り付けられて前記一対の第１係合部を形成し、前記第１孔に嵌め込まれる一対の係合部材と、を備えることを特徴とする請求項１に記載の棚。
【請求項３】
前記係合部材は、前記第１孔に嵌め込まれる第１係合部と、前記横杆の前記幅方向に突出して前記横杆の端部に嵌め込まれる突出部とを備えることを特徴とする請求項２に記載の棚。
【請求項４】
前記横杆は、上面部と前記上面部の奥側から垂下する背面部と、前記上面部の手前側から垂下する正面部とを少なくとも備えることを特徴とする請求項２または３に記載の棚。
【請求項５】
前記正面部の下端は、前記背面部の下端よりも下側となるように形成されていることを特徴とする請求項４に記載の棚。
【請求項６】
上下方向に延び、前記上下方向に複数の第１孔が形成された一対の縦杆を備える棚に追加される棚用部材であって、
収納対象物を載置する載置面において前記上下方向に直交する長手の幅方向に沿って形成された複数の第２孔を備え、前記一対の縦杆の間に高さが自在に固定された棚板と、
前記第１孔に嵌め込まれるように前記幅方向における両端部に形成された一対の第１係合部と、前記幅方向に沿って形成された複数の第３孔とを備え、前記棚板より上方において前記一対の縦杆の間に架設されたバーと、
前記第２孔に嵌め込まれる第２係合部と前記第３孔に嵌め込まれる第３係合部とが設けられ、前記棚板の前記載置面に固定された複数の仕切板と、を備えることを特徴とする棚用部材。
【請求項７】
上下方向に延び、前記上下方向に複数の棚板孔が形成された一対の縦杆と、前記上下方向に直交する長手の幅方向に収納対象物を載置する載置面を備え前記一対の縦杆の間に固定された棚板とを備える棚に追加される棚用部材であって、
前記棚板孔に嵌め込まれるように前記幅方向における両端部に形成された一対の係合部と、前記幅方向に沿って形成された複数の仕切孔とを備え、前記棚板より上方において前記一対の縦杆の間に架設されたバーと、
前記仕切孔に嵌め込まれる仕切係合部と、前記棚板の前記載置面に載置される底板とを備える仕切板と、を備えることを特徴とする棚用部材。
【発明の詳細な説明】
【技術分野】
【０００１】
本発明は、棚板上の仕切板の間隔が調整自在な棚及び棚用部材に関する。
【背景技術】
【０００２】
様々なサイズの収納対象物を収納するため、棚板と棚板との高さ方向の幅を変更可能な棚が知られている（例えば特許文献１）。この棚は、棚板の支持柱の前面に上下方向に複数の孔が形成されており、この穴にアーム状の支持部材の後端を引っ掛け、支持部材の上に棚板が載置され、棚板の高さが調整自在に構成されている。
【０００３】
そして、棚板に載置される本等の収納対象物を仕切るために、棚板上に間隔を自由に設定可能な複数の仕切板を備える本立てが知られている（例えば特許文献２）。この本立ては、棚板の載置面上に棚板の長手方向に沿って複数の孔が形成されており、棚板の上方には、背もたれ用の横杆が配置されており、横杆には長手方向に沿って複数の係合部が形成されており、棚板の載置面上には複数の仕切板が並置され、仕切板には棚板の孔に挿入される突出部と横杆の係合部に引っ掛けられるフック部とを備え、仕切板の間隔が調整自在に構成されている。
【先行技術文献】
【特許文献】
【０００４】
【特許文献１】実開昭５７−０６８６３９号公報
【特許文献２】特開２００５−３０５０５５号公報
【発明の概要】
【発明が解決しようとする課題】
【０００５】
棚板上に載置された収納対象物が増えた場合、収納対象物を安定させるための仕切板が必要となる。収納対象物に合わせて仕切板が設けられた棚板の高さを変更する場合、仕切板もその棚板の高さに応じて高さを変更することが望ましい。しかしながら、特許文献１及び特許文献２に記載された技術は、棚板と共に仕切板の高さ方向を調整するものではなかった。
【０００６】
そこで、本発明は、棚板の高さ位置変更に応じて仕切り板の高さ位置を安価に調整自在となる棚及び棚用部材を提供することを目的としている。
【課題を解決するための手段】
【０００７】
上記目的を達成するため、本発明に係る棚は、上下方向に延び、前記上下方向に複数の第１孔が形成された一対の縦杆と、収納対象物を載置する載置面において前記上下方向に直交する長手の幅方向に沿って形成された複数の第２孔を備え、前記一対の縦杆の間に高さが自在に固定された棚板と、前記第１孔に嵌め込まれるように前記幅方向における両端部に形成された一対の第１係合部と、前記幅方向に沿って形成された複数の第３孔とを備え、前記棚板より上方において前記一対の縦杆の間に架設されたバーと、前記第２孔に嵌め込まれる第２係合部と前記第３孔に嵌め込まれる第３係合部とが設けられ、前記棚板の前記載置面に固定された複数の仕切板と、を備えることを特徴とする。
【０００８】
このような棚によれば、縦杆に設けられた上下方向の第１孔を用いて棚板の設置される高さを自由に変更することができる。そして、変更された棚板の高さに応じて仕切板を固定するためのバーの高さを自由に変更することで仕切板の高さも自由に変更することができる。仕切板は、第２係合部が棚板に形成された第２孔に嵌め込まれる共に、第３係合部がバーに形成された第３孔に嵌め込まれるため、本等の収納対象物が仕切板に寄りかかってもずれること無く、収納対象物を安定的に保持することができる。
【０００９】
上記棚は、前記バーが前記幅方向に延びる横杆と、前記横杆の長手方向の両端部に取り付けられて前記一対の第１係合部を形成し、前記第１孔に嵌め込まれる一対の係合部材と、を備えるように構成されていてもよい。
【００１０】
このような棚によれば、横杆に係合部材が取り付けられてバーが構成され、バーは、係合部材により形成された第１係合部で縦杆に嵌め込まれるので、工具を必要とせずに棚板の高さの変更に合わせてバーの取り付けや取り外しを容易にすることができる。
【００１１】
上記棚は、前記係合部材が前記第１孔に嵌め込まれる第１係合部と、前記横杆の前記幅方向に突出して前記横杆の端部に嵌め込まれる突出部とを備えるように構成されていてもよい。
【００１２】
このような棚によれば、係合部材は第１係合部が縦杆の第１孔に嵌め込まれ、突出部が横杆に嵌め込まれるので横杆は、内側に移動できずに外れにくくすることができる。
【００１３】
上記棚は、前記横杆が上面部と前記上面部の奥側から垂下する背面部と、前記上面部の手前側から垂下する正面部とを少なくとも備えるように構成されていてもよい。
【００１４】
このような棚によれば、横杆を第１係合部に第１係合部の上から被せるようにして容易に取り付け及び取り外しをすることができる。
【００１５】
前記正面部の下端は、前記背面部の下端よりも下側となるように形成されているように構成されていてもよい。
【００１６】
このような棚によれば、横杆において正面部が背面部より上下方向に高く形成されているため、第１係合部の突出部を覆い隠すことができ、棚１の美観性を向上させることができる。
【００１７】
また、本発明に係る棚用部材は、上下方向に延び、前記上下方向に複数の第１孔が形成された一対の縦杆を備える棚に追加される棚用部材であって、収納対象物を載置する載置面において前記上下方向に直交する長手の幅方向に沿って形成された複数の第２孔を備え、前記一対の縦杆の間に高さが自在に固定された棚板と、前記第１孔に嵌め込まれるように前記幅方向における両端部に形成された一対の第１係合部と、前記幅方向に沿って形成された複数の第３孔とを備え、前記棚板より上方において前記一対の縦杆の間に架設されたバーと、前記第２孔に嵌め込まれる第２係合部と前記第３孔に嵌め込まれる第３係合部とが設けられ、前記棚板の前記載置面に固定された複数の仕切板と、を備えることを特徴とする。
【００１８】
このような棚用部材によれば、既設の棚がある場合に、第２孔が形成された棚板を既存の棚板と交換すると共に、第３孔が形成されたバーを第１孔に嵌め込むと共に、第２係合部と第３係合部とを備える仕切板を第２孔及び第３孔に嵌め込むことで棚板と仕切板の高さを変更することができる棚を構成することができる。
【００１９】
また、本発明に係る棚用部材は、上下方向に延び、前記上下方向に複数の棚板孔が形成された一対の縦杆と、前記上下方向に直交する長手の幅方向に収納対象物を載置する載置面を備え前記一対の縦杆の間に固定された棚板とを備える棚に追加される棚用部材であって、前記棚板孔に嵌め込まれるように前記幅方向における両端部に形成された一対の係合部と、前記幅方向に沿って形成された複数の仕切孔とを備え、前記棚板より上方において前記一対の縦杆の間に架設されたバーと、前記仕切孔に嵌め込まれる仕切係合部と前記棚板の前記載置面に載置される底板とを備える仕切板と、を備えることを特徴とする。
【００２０】
また、本発明に係る棚用部材は、既設の棚がある場合に、バーを追加するだけでバーに仕切板を固定することができ、棚板と仕切板の高さを変更することができる棚を構成することができる。
【発明の効果】
【００２１】
本発明によれば、棚板の高さ位置変更に応じて仕切り板の高さ位置を安価に調整自在とすることができる。
【図面の簡単な説明】
【００２２】
【図１】本発明の実施形態に係る棚の構成を示す図である。
【図２】棚板、バー及び仕切板の取り付け状態を示す図である。
【図３】棚板を支持する支持部材の構成を示す図である。
【図４】バーを構成する横杆の構成を示す図である。
【図５】横杆に取り付けられるエンド部材の構成を示す図である。
【図６】エンド部材の取り付け状態を示す図である。
【図７】一対のエンド部材の取り付け状態を示す図である。
【図８】横杆の取り付け方法を示す図である。
【図９】仕切板の構成を示す図である。
【図１０】変形例に係る仕切板の構成を示す図である。
【発明を実施するための形態】
【００２３】
以下、図面を参照しつつ、本発明の実施形態に係る棚の構成について説明する。以下、棚の開口があり、収納対象物を出し入れする側を前側として説明する。
【００２４】
図１から図３に示されるように、棚１は、書類等の収納対象物を収納及び整理するための整理棚である。棚１は、載置面Ｅに設置される底板４０と、底板の長手方向の両側面に配置された一対の縦杆２と、縦杆２の上部に底板４０と対向して配置された頂板５０と、棚１の背面側を塞ぐ背面板６０と、一対の縦杆２の間に設けられた複数の棚板１０と、棚板１０の上方に設けられたバー２０と、棚板１０とバー２０とに固定される複数の仕切板３０とを備える。
【００２５】
底板４０は、矩形の板状体に形成されている。底板４０は、枠状に形成されていてもよい。底板４０の長手の幅方向（図のＸ軸方向）の両側面４１，４２には、一対の縦杆２が取り付けられている。一対の縦杆２は、両側面４１，４２から上方（Ｚ軸方向）に起立し互いに対向して配置されている。縦杆２は、上下方向に延びた矩形の板状体に形成されている。縦杆２の短手の幅方向は、奥行き方向（Ｙ軸方向）である。縦杆２の長手の幅方向は、上下方向（Ｚ軸方向）である。
【００２６】
縦杆２の一対の長辺側には、内側（対向する縦杆２の方向：Ｘ軸方向）に突出した一対の枠部３，４が並置して形成されている。枠部３は、縦杆２の前側の長辺に形成されている。枠部４は、縦杆２の後ろ側の長辺に形成されている。枠部４は、後ろ側の長辺から手前側にオフセットするように後ろ側の長辺から所定間隔離間して形成されている。枠部３，４は、断面が矩形に形成されている。枠部３，４には、複数の横長の矩形のスリット状の孔Ｈ１（第１孔、棚板孔）が所定間隔で上下方向に延びるように形成されている。
【００２７】
枠部３において、複数の孔Ｈ１は、開口が後方に向かうように枠部４に対向する面に形成されている。即ち、枠部３において、複数の孔Ｈ１は、棚１の正面方向から見えないように形成されている。これにより、棚１の美観性が向上する。枠部４において、複数の孔Ｈ１は、開口が内側に向かうように、枠部４に対向する他の枠部４に対向する面に形成されている。孔Ｈ１には、後述の支持部材Ｇが嵌め込まれて棚板１０が支持される。また、孔Ｈ１には、後述のようにエンド部材２６が嵌め込まれてバー２０が支持される。縦杆２は、枠部３，４だけで構成されていてもよい。
【００２８】
一対の縦杆２の上部には、頂板５０が架設されている。頂板５０は、底板４０と上下方向に対向して配置されている。頂板５０は、矩形の板状体に形成されている。頂板５０は、枠状に形成されていてもよい。底板４０、一対の縦杆２及び頂板５０により囲まれた後方の開口を塞ぐように、背面板６０が取り付けられている。背面板６０は、矩形の板状体に形成されている。底板４０、一対の縦杆２及び頂板５０、及び背面板６０により囲まれて空間Ｓが形成されている。空間Ｓ内には、複数の棚板１０が上下方向に平行に取り付けられる。棚板は、孔Ｈ１に嵌め込まれて一対の縦杆２の間に固定される。
【００２９】
棚板１０は、矩形の板状体に形成されている。棚板１０の上面１２は、収納対象物を載置するための載置面である。棚板１０の後ろ側の一対の角部には、枠部４に嵌合するように矩形の切欠き部１１が形成されている。棚板１０の上面１２には、複数の矩形のスリット状の孔Ｈ２（第２孔、仕切孔）が形成されている。複数の孔Ｈ２は、上下方向に直交する棚板１０の長手の幅方向に沿って形成されている。複数の孔Ｈ２は、所定間隔で棚板１０のＸ軸方向の幅方向に沿って２列（Ｘ軸方向）に形成されている。孔２は、後述のように仕切板３０を固定するために用いられる。棚板１０は、一対の枠部３及び一対の枠部４に４個の支持部材Ｇを介して固定される。
【００３０】
支持部材Ｇは、枠部３，４において上下に離間する２個の孔Ｈ１に嵌め込まれて棚板１０を支持する部材である。支持部材Ｇは、棚板１０の載置面となる矩形の板状体に形成された頂板Ｇ１を備える。頂板Ｇ１の一辺には、上方に向かって起立した矩形の板状体に形成された突出部Ｇ２が形成されている。突出部Ｇ２は、孔Ｈ１に嵌め込まれるように幅が形成されている。頂板Ｇ１の突出部Ｇ２が形成された一辺に対向する他辺には、下方に垂下した支持板Ｇ３が形成されている。支持板Ｇ３は、矩形の板状体に形成され、突出部Ｇ２側に向かって下方に傾斜している。
【００３１】
支持板Ｇ３の下端には、下方に垂下した支持板Ｇ４が形成されている。支持板Ｇ４は、矩形の板状体に形成されている。支持板Ｇ４の下端には、頂板Ｇ１と平行で、且つ、突出部Ｇ２の方向に突出するように突出部Ｇ５が形成されている。突出部Ｇ５は、突出部Ｇ２と同じ幅に形成されている。即ち、突出部Ｇ５は、孔Ｈ１に嵌め込まれるように幅が形成されている。支持部材Ｇは、突出部Ｇ２の基端と突出部Ｇ５の基端との間の距離は、上下方向に離間する一対の孔Ｈ１の幅と略同じとなるように形成されている。この幅は、例えば、上下方向の３つの孔Ｈ１の離間距離となるように形成されている。
【００３２】
枠部３，４に支持部材Ｇを固定する場合、先ず突出部Ｇ２を略水平な状態で孔Ｈ１に挿入する。突出部Ｇ２が基端まで孔Ｈ１に挿入された後、突出部Ｇ２の基端を支点にして支持部材Ｇを下方に回転させると、突出部Ｇ２が挿入された孔Ｈ１の下方に離間する２つ目の孔Ｈ１に突出部Ｇ５が挿入される。突出部Ｇ５が基端まで挿入されると支持部材Ｇは枠部３，４に嵌め込まれる。
【００３３】
４つの支持部材Ｇは、高さが同じとなるように一対の枠部３と一対の枠部４とにそれぞれ嵌め込まれる。その後、４つの支持部材Ｇの上に棚板１０が載置される。
【００３４】
従って、棚板１０は、４つの支持部材Ｇを介して穴Ｈ１に嵌め込まれ、一対の枠部３，４の間に高さが自在に固定されている。棚板１０は、必ずしも穴Ｈ１に嵌め込まれて固定されていなくてもよく、一対の縦杆２に形成された穴（不図示）や支持部材（不図示）等を用いて高さが自在に固定されていてもよい。即ち、棚板１０は、高さが自在に固定されるのであれば、どのような固定方法を用いてもよい。
棚板１０の上方には、仕切板３０を固定するためのバー２０が取り付けられる。
【００３５】
バー２０は、一対の縦杆２の一対の枠部４の間に架設される。バー２０の両端部には、一対の枠部４に嵌め込まれる第１係合部（棚板係合部）が形成されている。バー２０は、棚板１０のＸ軸方向に沿った長手の幅方向に延びる棒状に形成された横杆２１を備える。横杆２１の長手方向の幅は、一対の枠部４の間の間隔と略同じとなるように形成されている。横杆２１の長手方向の両端部には、一対のエンド部材２６（係合部材）が取り付けられている。エンド部材２６は、バー２０の第１係合部を形成する。エンド部材２６の端部は、孔Ｈ１に嵌め込まれるように形成されている。
【００３６】
図４に示されるように、横杆２１は、矩形の板状体に形成された上面部２２と、上面部２２の奥側（背面板６０側）の長辺から垂下する矩形の板状体に形成された背面部２３と、上面部２２の手前側の長辺から垂下する矩形の板状体に形成された正面部２４とを少なくとも備える。横杆２１は、例えば、鉄板が折り曲げられて形成されている。正面部２４の下端には、背面部２３の方向に上面部２２と平行に突出する下面部２５が形成されている。
【００３７】
正面部２４の下端は、背面部２３の下端よりも下側となるように形成されている。これにより、横杆２１の背面側には、横杆２１の軸線方向に沿って開口が形成されている。そして、棚１を正面視した際に正面部２４によりエンド部材２６の一部が隠されて美観性が向上する。横杆２１は、上面部２２と下面部２５との間の距離がエンド部材２６の後述する突出部２７の上下方向の幅と略同一になるように形成されている。
【００３８】
上面部２２には、長手方向に沿って複数の矩形のスリット状の孔Ｈ３（第３孔、仕切孔）が平行に形成されている。孔Ｈ３は、長手方向が上面部２２の短手方向に沿って形成されている。複数の孔Ｈ３同士の間隔は、棚板１０の複数の孔Ｈ２同士の間隔と同じとなるように形成されている。複数の孔Ｈ３は、複数の孔Ｈ２の位置に対応するように位置決めされて形成されている。上記構成により横杆２１の両端部は、開口が形成されている。この開口には、エンド部材２６が挿入される。
【００３９】
図５に示されるように、エンド部材２６は、例えば、鉄板が折り曲げられて形成されている。一対のエンド部材２６は、バー２０を正面視して横杆２１の右側に取り付けられるものと左側に取り付けられるものとが存在し、それぞれ左右対称に形成されている。以下、代表して左側に取り付けられるエンド部材２６について説明する。
【００４０】
エンド部材２６は、枠部４の孔Ｈ１に嵌め込まれる第１係合部２８と、横杆２１の長手の幅方向に突出して横杆２１の端部に嵌め込まれる突出部２７とを備える。突出部２７は、矩形の板状体に形成された正面部２７Ａを備える。正面部２７Ａの上端には、正面部２７Ａと直交する方向の後ろ側（−Ｙ方向）に突出した上面部２７Ｂが形成されている。上面部２７Ｂは、矩形の板状体に形成されている。正面部２７Ａの下端には、正面部２７Ａと直交方向（−Ｙ方向）に突出した下面部２７Ｃが形成されている。下面部２７Ｃは、矩形の板状体に形成されている。
【００４１】
正面部２７Ａの片側の一辺には、正面部２７Ａと直交して前側（＋Ｙ方向）に突出した第１係合部２８が形成されている。第１係合部２８は、矩形の板状体に形成されたオフセット板２８Ａを備える。オフセット板２８Ａの先端部において上方には上方に起立した突出部２８Ｂが形成されている。突出部２８Ｂは、矩形の板状体に形成されている。突出部２８Ｂとオフセット板２８Ａとの接続部には、突出部２８Ｂがオフセット板２８Ａよりも水平方向（Ｘ軸方向）に外側となるように段差が形成されている。
【００４２】
オフセット板２８Ａの先端部において下方には水平方向で外側（−Ｘ方向）に突出した突出部２８Ｃが形成されている。突出部２８Ｃは、矩形の板状体に形成されている。突出部２８Ｂの基端と突出部２８Ｃの基端との間の距離は、上下方向に離間する一対の孔Ｈ１の幅と略同じとなるように形成されている。この幅は、例えば、上下方向の３つの孔Ｈ１の離間距離となるように形成されている。
【００４３】
図６に示されるように、枠部４にエンド部材２６を固定する場合、先ず突出部２８Ｂを略水平な状態で孔Ｈ１に挿入する。突出部２８Ｂが基端まで孔Ｈ１に挿入された後、突出部２８Ｂの基端を支点にしてエンド部材２６を下方に回転させると、突出部２８Ｂが挿入された孔Ｈ１の下方に離間する２つ目の他の孔Ｈ１に突出部２８Ｃが挿入される。突出部２８Ｃが基端まで挿入されるとエンド部材２６は枠部４に嵌め込まれる。
【００４４】
図７に示されるように、一対のエンド部材２６は、棚板１０の上方に所定距離離間して一対の枠部４に嵌め込まれる。このとき、突出部２７は、オフセット板２８Ａにより後方にオフセットされて枠部４から背面板６０に近位するように配置される。対向する一対のオフセット板２８Ａ同士の距離は、横杆２１の長手方向の幅と略同一であるので、エンド部材２６が枠部４に嵌め込まれた状態で一対の突出部２７を横杆２１の軸線方向に沿って挿入することができない。
【００４５】
そのため、図８に示されるように、横杆２１は、一対の突出部２７に対して上方から引っ掛けて回転させることで、一対のエンド部材２６を横杆２１に固定する。先ず、正面部２４が水平方向となるように横杆２１が一対の突出部２７の上方から一対の突出部２７に引っ掛けられる。この時、一対の突出部２７が横杆２１の背面側の開口から横杆２１の内部空間に挿入される。
【００４６】
そして、横杆２１を手前側に回転させると、突出部２７の上面部２７Ｂと横杆２１の上面部２２とが当接すると共に、突出部２７の下面部２７Ｃと横杆２１の下面部２５とが当接し、横杆２１の両端に一対のエンド部材２６が嵌め込まれる（図４、図５参照）。この状態では、横杆２１が一対の枠部４の間に挟持されるため、横杆２１が横方向に移動せず、且つ、エンド部材２６も移動できなくなるため、バー２０は、容易に枠部４から外れることはない。また、バー２０が固定された状態から、横杆２１を長手方向が回転軸となるように上方に回転させることで容易にエンド部材２６から外すことができる。バー２０が固定された後、棚板１０の上面１２には、仕切板３０（図１参照）が固定され、上面１２が仕切られる。
【００４７】
図９に示されるように、仕切板３０は、前側の上部の角部がカットされた台形の板状体に形成された板状部３０Ａを備える。仕切板３０は、棚板１０の上面１２から上方の直交方向に起立し、且つ棚板１０の載置面の長手方向に直交する短手方向に沿って配置される（図１参照）。
【００４８】
板状部３０Ａの下辺には、上面１２に形成された孔Ｈ２に嵌め込まれる突出部３１（第２係合部）が形成されている。板状部３０Ａの上辺には、バー２０に形成された孔Ｈ３に嵌め込まれる突出部３２（第３係合部、仕切係合部）が形成されている。突出部３１は、２列に形成された孔Ｈ２に対応した位置に２個形成されている。突出部３１は、孔Ｈ２の長手方向の幅に対応するように幅が形成されている。突出部３１は、プレス加工により段差部３１Ａが形成され、孔Ｈ２の短手方向の幅に応じた幅に形成されている。これにより、突出部３１が孔Ｈ２に嵌め込まれた状態で仕切板３０のぐらつきが抑制される。
【００４９】
突出部３２は、下方に垂下するようにフック状に形成されている。仕切板３０を棚板１０に設置する場合、突出部３２がバー２０の孔Ｈ３に上方から嵌め込まれる。この時、突出部３１が上面１２の孔Ｈ２に上方から嵌め込まれる。突出部３１，３２が基端まで嵌め込まれると仕切板３０が棚板１０に固定される。
【００５０】
棚板１０に複数の仕切板３０が固定される際、仕切板３０同士の間隔や仕切板３０の数は、孔Ｈ２，Ｈ３の位置に応じて任意に調整される。バー２０の高さ方向の位置は、エンド部材２６の位置を変更することで調整自在であるので、任意の高さの様々な仕切板３０を形成することで、収納対象物の高さに応じて棚板１０を様々なレイアウトにより仕切ることができる。また、上述した棚板１０、バー２０、及び仕切板３０は、既存の棚をリフォームするために交換又は追加される棚用部材として用いられてもよい。
【００５１】
上述したように棚１によれば、棚板１０の上面１２を仕切板３０で自由に仕切ることで様々なサイズの収納対象物を収納することができる。棚１によれば、バー２０の取り付け位置の高さや棚板１０の取り付け位置の高さを変更することで様々な高さ方向のサイズの収納対象物を収納することができる。
【００５２】
また、棚板１０の取り付け位置の高さを変更せずにバー２０の取り付け位置の高さのみを変更することも可能である。その際には、棚板１０の取り付け位置の高さからバー２０の取り付け位置の高さまでの距離に応じて、様々な高さに形成された仕切板３０を用いてもよい。これにより、収納対象物が大きい場合に仕切板の高さが低くて安定性を欠くこと、あるいは収納対象物が小さい場合に仕切板の高さが高くて上の棚板の高さを下げる事が出来なくなることが防止され、収納対象物を安定して収納することができる。
【００５３】
［変形例］
バーや仕切板は、既存の棚に追加される棚用部材であってもよい。以下の説明では、上記実施形態と同一の構成については同一の名称及び符号を用い、重複する説明は適宜省略する。既存の棚板には、上述した棚板１０のように孔Ｈ２が形成されていないので、追加される仕切板は、安定して自立するように形成される。
【００５４】
図１０に示されるように、仕切板７０は、仕切板７０は、前側の上部の角部がカットされた台形の板状体に形成された板状部７０Ａを備える。板状部７０Ａの上辺には、バー２０に形成された孔Ｈ３に嵌め込まれる突出部７２が形成されている。板状部７０Ａの下辺には、板状部７０Ａと直交方向に板状部７０Ａの両側に延びる底板７３が形成されている。底板７３は、例えば、板状部７０Ａから切り出されて形成された第１底板７３Ａと、板状部７０Ａの底部が折り曲げられて形成された第２底板７３Ｂとを備える。
【００５５】
既設の棚に仕切板７０を追加する場合、先ず、上述した工程によりバー２０が棚板から所定の高さ方向に離間して設置される。その後、仕切板７０の突出部７２がバー２０の孔Ｈ３に嵌め込まれて、底板７３が棚板上に載置される。仕切板７０は、底板７３により棚板上において自立する。底板７３を安定させるため、底板７３は金属製の棚板に磁気吸着する磁性体で形成されていてもよい。
【００５６】
その他、本発明の趣旨に逸脱しない範囲で、前記実施形態における構成要素を周知の構成要素に置き換えることは適宜可能であり、また、上述した変形例を適宜組み合わせ、または置換して構成してもよい。
【００５７】
例えば、一対の枠部３において、枠部４同様に複数の孔Ｈ１は開口が互いに対向する面に形成されていてもよい。また、枠部４において、複数の孔Ｈ１は開口が前方に向かうように前側の面に形成されていても良い。その場合、エンド部材２６の正面部２７Ａとオフセット板２８Ａとが平行となるように形成されていればよい。また、背面板６０は無くてもよい。あるいは、孔Ｈ３は、横杆２１の正面部２４あるいは上面部２２から正面部２４に渡って設けられていてもよい。
【符号の説明】
【００５８】
１…棚、２…縦杆、３…４…枠部、１０…棚板、１１…切欠き部、１２…上面（載置面）、２０…バー、２１…横杆、２２…上面部、２３…背面部、２４…正面部、２５…下面部、２６…エンド部材（係合部材）、２７…突出部、２８…第１係合部、２８Ａ…オフセット板、２８Ｂ…突出部、２８Ｃ…突出部、３０…仕切板、３０Ａ…板状部、３１…突出部、３１Ａ…段差部、３２…突出部、７０…仕切板、７０Ａ…板状部、７２…突出部、７３…底板、Ｈ１…第１孔、Ｈ２…第２孔、Ｈ３…第３孔
【図１】
2020137950.tif 000003
【図２】
2020137950.tif 000004
【図３】
2020137950.tif 000005
【図４】
2020137950.tif 000006
【図５】
2020137950.tif 000007
【図６】
2020137950.tif 000008
【図７】
2020137950.tif 000009
【図８】
2020137950.tif 000010
【図９】
2020137950.tif 000011
【図１０】
2020137950.tif 000012